(57)【要約】【課題】インシュレーションボード又はエコボードを備えた畳において、ダニ類の生息、繁殖を阻止可能な健康的防虫畳を提供する。【解決手段】ホウ素化合物をホウ素換算で０．０５重量％以上含有せしめた、木材の微粉砕物を主成分としてボード化して成るインシュレーションボード又はプラスチックフイルム等の微板状化物をボード化して成るエコボードと、その上及び下に、クッション性の不織布、板紙及び樹脂シートの少なくとも１枚を配置し、その最下部に樹脂織物ラミネート紙を配置した防虫畳。【選択図】      図１
2004285684.tif 000002
【特許請求の範囲】
【請求項１】
植物の微粉砕物を主成分としてボード化して成るインシュレーションボード、又は廃プラスチックフイルムをボード化して成るエコボードを芯材として備えた畳において、該インシュレーションボード又は資源再生エコボードそのものに、ホウ素化合物をホウ素換算で０．０５重量％以上含有せしめたことを特徴とする防虫畳。
【請求項２】
前記インシュレーションボード又はエコボードの上及び下に、クッション性の不織布、板紙及び樹脂シートを少なくとも１枚配置した請求項１記載の防虫畳。
【請求項３】
前記防虫畳の最下部に樹脂ラミネート紙を配置した請求項１又は２記載の防虫畳。
【請求項４】
前記畳の全体の厚みが２０ｍｍ以下の薄畳である請求項１乃至３のいずれか１項記載の防虫畳。
【請求項５】
前記ホウ素化合物が拡散性ホウ酸塩である請求項１記載の防虫畳。
【発明の詳細な説明】
【０００１】
【発明の属する技術分野】
本発明は木材等植物の微粉砕物を主成分としてボード化して成るインシュレーションボード、又は廃プラスチックフイルム等を主成分としてボード化して成る資源再生エコボードを芯材として備えた防虫畳に関するものであり、詳しくは、前記芯材そのものに、人体には害の少ないホウ素化合物を含有せしめた防虫畳に関するものである。
【０００２】
【従来の技術】
畳は、日本の伝統的な建築材料で、元来は乾燥した藁を圧縮した畳床に畳表を縫いつけた物である。この藁畳床は、天然植物性素材としての風合いや調湿機能を持つ反面、しばしばダニなどの害虫の温床になっていた。特に夏期など、温度、湿度の条件が満たされると、チリダニやコナダニが大発生し、これらを捕食するツメダニが増える。住宅構造が密閉化するにつれ、最近では冬季のダニの増殖も問題になっている。チリダニ、コナダニの生体、死体、糞は、アレルゲンとして喘息、鼻炎、アトピー性皮膚炎等に関係し、ツメダニは刺咬症を起こす。
【０００３】
畳床の内部でのダニ類の生息、繁殖を阻止するために、いろいろな方法が提案、実行されている。最も広く普及している対策は、畳床を形成する藁の全部を発泡プラスチック等の新規材料で置き換える、いわゆる化学畳である。これによって畳床は軽量化され、内部での節足動物の生息、繁殖を抑制できる。しかしながら、発泡プラスチック等の新規材料は、不要になって廃棄処理する際、焼却すれば有毒ガスが発生し、地中に埋めても腐敗しないので、問題である。
【０００４】
近年、住宅暖房として床暖房が急速に普及し、床暖房の熱効率を上げるために畳も薄畳化してきた。この薄畳は木材等の繊維質を主成分としてボード化したものと、その上下に不織布、紙、等を適宜積層したものである。しかしながら、この薄畳においても、木材等の繊維質、不織布や紙等が使用されているので、ダニ類が生息、繁殖する。
【０００５】
特開平７−１３９１３１号公報（軽量畳床）にはインシュレーションボードを備えた畳床の最低部に、防湿、防虫加工を施したポリスチレンシートを設置した軽量畳床が開示されている。しかしながら、インシュレーションボードは木材を微粉砕した繊維質からなっているので、畳床の最低部に防湿、防虫加工しただけでは、防虫効果が不充分である。
【０００６】
つまり、近年一般化されてきた床暖房には、前記インシュレーションボードを利用した畳が最適であるとされている。即ち、厚みを薄くし、所要の熱通過を許容し、かつ床下との間の通気性を断って床下面が水分過多となってキノコ等の発生を防止することができるからである。この水分遮断により、防ダニ手段を講じなくとも良いと判断されがちである。しかし、実際には、畳表側からの呼吸作用によって多くのダニが発生し、その対策が必要となってきた。
【０００７】
また、特公平７−４２７９９号公報（防虫畳）には、畳床、畳表、或いはそれら中間に、２０℃において１〜３００ｍｇ／ｇ／Ｈｒの速度でＢ２Ｏ３を溶出するホウ酸系ガラスの粉末を接着した防虫畳が開示されている。しかしながら、この公報にはインシュレーションボードの記載が無く、たとえインシュレーションボードの表面にホウ酸系ガラスの粉末を接着しても、インシュレーションボードの上下表面には被膜があるのでインシュレーションボード中のダニを死滅させることはできない。
【０００８】
【特許文献１】
特開平７−１３９１３１号公報、第１頁
【０００９】
【特許文献２】
特公平７−４２７９９号公報、第１頁
【００１０】
【発明が解決しようとする課題】
本発明の課題は、インシュレーションボード又はエコボードを備えた畳において、ダニ等の生息、繁殖を阻止可能な健康的な防虫畳を提供することにある。
【００１１】
【課題を解決するための手段】
本発明者は、上記課題を解決するために鋭意工夫した結果、ホウ素化合物をホウ素換算で０．０５重量％以上含有せしめたインシュレーションボード又はエコボードを用いることにより、人体にはほとんど害がなくて、防虫効果が大きい防虫畳を見出し本発明に到達した。
【００１２】
即ち、本発明は、インシュレーションボード又はエコボードを備えた畳において、該インシュレーションボード又はエコボードそのものに、ホウ素化合物をホウ素換算で０．０５重量％以上含有せしめたことを特徴とする防虫畳である。これらのボードに含有されたホウ素化合物は、該ボード内やその近傍でのダニ類の生息、繁殖を阻止する。
【００１３】
本発明でいうインシュレーションボードとは、植物の微粉砕物を主成分としてボード化したもので、主たる木材以外の植物素材、紙、バインダー等適宜混合して成型したものである。また、その表面には、樹脂やガラス製の皮膜を設けてもよい。
【００１４】
また、本発明でいうエコボードとは、廃プラスチック即ち、使用済みのプラスチックフイルム等の微板状化物を主成分としてボード化したものである。使用済みのものでなくても同様なものが得られるが、コスト面と地球環境面より、本発明では敢えて使用済みプラスチックフイルム等を用いる。ここで、使用済みプラスチックフイルム等とは、プラスチックシートやボトル等の薄いプラスチック成型物をも含むものである。
【００１５】
更に、本発明でいうホウ素化合物とは、どのようなホウ素化合物でもよいが、オルトホウ酸［Ｂ（ＯＨ）３］、特に拡散性のホウ酸である八ホウ酸ニナトリウム四水和物［Ｎａ２Ｂ８Ｏ１３・４Ｈ２Ｏ］（以下ＤＯＴという）又は、水溶液中でホウ酸とホウ砂を１：１〜１：２で混合して生成するホウ素化合物が好ましく使用される。特に拡散性のホウ酸を用いると、常温（２０℃）で１０重量パーセント、温水にすると３０重量パーセント以上の高濃度水溶液の作成が可能となるので、対象物へホウ素化合物を高濃度で付与することができる。また植物素材に対する拡散性に優れており、拡散性ホウ酸塩、特にＤＯＴは高湿度下で植物素材組織中を、緩やかに拡散する性質がある。
【００１６】
ホウ素化合物をインシュレーションボード又はエコボードに含有せしめる具体的な方法としては、これらのボードを予め作成したホウ素化合物の水溶液中に浸漬した後乾燥するのがよい。
【００１７】
インシュレーションボードの場合、木材を微粉砕して予め作成したホウ素化合物水溶液中に投入して含浸させてもよいが、この廃水を河川に流すと廃水中のホウ素が水生動植物に悪影響を与える可能性があるし、また、ホウ素化合物が含浸した木材の微粉砕化物は接着性が悪くなる可能性もあるので、好ましくない。また、インシュレーションボードにホウ素化合物水溶液を直接塗布しても良いが、インシュレーションボードの上下表面には被膜があって前記水溶液を透水し難いので好ましくない。インシュレーションボードをホウ素化合物水溶液中に浸漬した場合、ホウ素化合物水溶液は該ボードの被膜がない側面から中心部に容易に浸透するので好ましい方法といえる。
【００１８】
一方、エコボードの場合は、ホウ素化合物粉末をバインダーにてエコボードに接着させる方法や、ホウ素化合物粉末をプラスチックフイルム微板状化物にまぶして圧縮成型する方法も採用可能である。後者の場合、ホウ素化合物粉末は圧縮成型時にプラスチックフイルム微板状化物の表面に固着する。
【００１９】
本発明では、前記のインシュレーションボード又はエコボードの上及び下に、クッション性の不織布、板紙、及び樹脂シートの少なくとも１枚を配置した防虫畳である。ここで板紙とは厚さが０．５ｍｍ以上の厚目の紙のこという。このインシュレーションボード又はエコボードに含有されたホウ素化合物は、高湿度下でクッション性の不織布や板紙に拡散して、ダニ類の生息、繁殖を抑制する。
【００２０】
また、本発明の防虫畳の最下部には、樹脂ラミネート紙、好ましくはプロピレン等のフラットヤーンからなる樹脂織物をラミネートした紙を配置しており、床下からの湿気や害虫類を阻止する効果がある。
【００２１】
更に、本発明の防虫畳は、インシュレーションボード又はエコボードを用いているので、屈曲強度が大きく、畳全体の厚さが２０ｍｍ以下の薄畳にすることが可能であり、特に、エコボードを用いると屈曲強度が更に大きくなるので、厚さが１５ｍｍ以下の薄畳にすることが可能となり、床暖房用の防虫性薄畳として好適である。
【００２２】
【発明の実施の形態】
次に、本発明の防虫畳について、図面を用いて好ましい実施の形態について説明する。
【００２３】
図１は、本発明の一実施の態様に係る防虫畳の部分断面斜視図である。インシュレーションボード２は、拡散性ホウ酸塩をホウ素換算で０．０５重量％以上含有したものである。
【００２４】
このインシュレーションボード２は木材の微粉砕物を主成分としてボード化したものなので、その内部には小さな無数の空隙があるが、上下表面には被膜があってダニ類は侵入できない。しかしながら、その側面には被膜がなく、その上下にエンボス樹脂シート５、クッション性不織布シート３、樹脂織物ラミネート紙４を積層して縫い針で堅く縫い合わせしているので、その縫い針の孔や側面の小さな無数の空隙からダニ類の侵入が可能となる。これらの孔からダニ類が侵入してきた場合でも、前記の拡散性ホウ酸塩がその生息、繁殖を阻止する。ダニが芯材内で繁殖し、小孔や側面等を通って室内側に出入りするのを完全に防止できる。
【００２５】
このインシュレーションボード２の上にはエンボス樹脂シート５を、更にその上面に畳表１が配置されている。このエンボス樹脂シート５の代りに、クッション性不織布シートを配置してもよいが、インシュレーションボード２は比較的軟質なので、この例ではエンボス樹脂シート５を用いている。
【００２６】
一方、インシュレーションボード２の下にはクッション性不織布シート３を配置しており、インシュレーションボード２の保護的な役目をなしている。更にその下には樹脂織物ラミネート紙４を樹脂面を下にして配置していて、床下からの湿気や害虫類の侵入を阻止するとともに、畳の最下面を低摩擦にして取扱い性の向上を図っている。
【００２７】
インシュレーションボード２に含有された拡散性ホウ酸塩は、時間の経過と共に前記のクッション性不織布シート３へ緩やかに拡散してダニ類の生息、繁殖を抑制する。即ち、ホウ素化合物の芯材への含有にて付属物に対しても防ダニ効果が及び畳全体として防ダニ効果を発揮することができる。
【００２８】
上記の実施の態様は、以上の如き構成になっているので、畳全体の厚みが２０ｍｍ以下の床暖房用の防虫性薄畳として好適である。
【００２９】
図２は、本発明の他の実施態様を示す部分断面斜視図である。このエコボード２Ｅは、使用済み写真フイルム等のプラスチックフイルムを微板状化し、圧縮成型してボードにしたもので、拡散性ホウ酸塩をホウ素換算で０．０５重量％以上含有したものである。
【００３０】
このエコボード２Ｅは、インシュレーションボード２よりも硬質なので、この上にはクッション性不織布シート３を配置しており、更にその上に畳表１を配置している。
【００３１】
一方、このエコボード２Ｅの下には板紙７を配置しており、エコボード２Ｅとこの板紙７の下に配置する樹脂織物ラミネート紙４と間の緩衝材の役目をなしている。この板紙７の下に配置する樹脂織物ラミネート紙４は、図１の例と同様に樹脂面を下にしているので、床下からの湿気や害虫類の侵入を阻止しているとともに、畳の最下面を低摩擦にして取扱い性の向上を図っている。
【００３２】
エコボード２Ｅは上記の如くプラスチックフイルムを微板状化して圧縮成型したボードなので、インシュレーションボードよりもダニ類が住み着き難いが、このボードに含有された拡散性ホウ酸塩は、時間の経過と共に前記のクッション性不織布シート３や板紙７へ緩やかに拡散してダニ類の生息、繁殖を抑制する。
【００３３】
このエコボード２Ｅは、インシュレーションボード２よりも硬質で屈曲強度が大きいので、畳全体の厚さが１５ｍｍ以下の薄畳にすることが可能となり、床暖房用の防虫性薄畳としてより好適である。
【００３４】
図１及び図２に用いられる畳縁６は、薄紙を接着剤で貼り合わせた積層紙を織物の下に重ねて畳床の縁に縫いつけられているが、この積層紙にもホウ素化合物を含有させておくと、本発明のインシュレーションボード又はエコボードとの相乗効果でダニ類の生息、繁殖をほぼ完全に阻止できる。この積層紙にホウ素化合物を含有させる方法としては、ホウ素化合物を含有させた接着剤を用いて接着する方法や、積層紙にしてからホウ素化合物水溶液を塗布する方法等が好ましく採用される。
【００３５】
尚、図１及び図２に用いられる畳表１の材質は特に限定されるものではなく、天然のイグサ、紙製テープや樹脂製テープを収束して加工した人工イグサ等を適宜用いることができる。
【００３６】
近年、住宅の床暖房が急速に普及し、床暖房の熱効率を上げるために薄畳が用いられているが、従来の薄畳は防ダニ性を持たせるために藁を用いないようにしているにもかかわらず、この床暖房保温の影響で冬場でもダニ類が生息、繁殖しやすい環境となっている。本発明の防虫畳は、上記実施の形態で説明した如く、防ダニ性を持たせるために有機物質を含みながらも、畳全体の厚みが２０ｍｍ以下、更に１５ｍｍ以下の防虫性薄畳が可能であり、床暖房用として最適であり、年間を通じてダニ類の生息、繁殖を阻止できる。
【００３７】
床暖房への応用について詳述する。まず、床暖房では、電気又は温水を熱源とする床が構成され、その上に本発明の防ダニ畳が配置される。ここに、本発明の畳では、最下面にラミネート紙４が配置されるので、水分が上下で移動するのを防止できる。即ち床下部分を湿らせることが無い。
【００３８】
また、床暖房の使用時期である冬季において、毎日毎日の温度変化において湿気を通すことがなく、かつ温暖雰囲気においてダニの発生を防止できる。
【００３９】
このように、床暖房にあっては、工事施行が容易で、ヒータ上に畳を置けばよく、それだけで最適床暖房設備を設置でき、しかも、その後、防ダニ効果の高い健康的室内を構築できる。
【００４０】
本発明は、上記実施の形態に限定されるものではなく、本発明の要旨を逸脱しない範囲で適宜変形して実施でき、各種態様で実施できる。
【００４１】
【発明の効果】
本発明は、特許請求の範囲に記載した通りの防虫畳であるので、インシュレーションボードの側面の小さな無数の空隙や縫い針の孔からダニ類が侵入してきた場合でも、前記ボードに含有せしめたホウ素化合物がその生息、繁殖を阻止することができる。
【００４２】
また、インシュレーションボード又はエコボードに含有された拡散性ホウ酸塩は、時間の経過と共にその上下に配置された、クッション性不織布シートや板紙へ緩やかに拡散してダニ類の生息、繁殖を抑制することができる。
【００４３】
更に、防虫畳の最下面には樹脂織物ラミネート紙を配置しているので、床下からの湿気や害虫類の侵入を阻止する。
【００４４】
そしてまた、畳全体の厚みが２０ｍｍ以下、更に１５ｍｍ以下の健康的な防虫性薄畳にすることが可能であり、床暖房用として用いても、年間を通じてダニ類の生息、繁殖を阻止することができる。
【図面の簡単な説明】
【図１】本発明の一実施の態様に係る防虫畳の部分断面斜視図である。
【図２】本発明の他の実施の態様に係る防虫畳の部分断面斜視図である。
【符号の説明】
１  畳表
２  インシュレーションボード
２Ｅ  エコボード
３  クッション性不織布
４  樹脂織物ラミネート紙
５  エンボス樹脂シート
６  畳縁
７  板紙
【図１】
2004285684.tif 000003
【図２】
2004285684.tif 000004